(57)【特許請求の範囲】
【請求項１】
プラントからプラントデータを長期間にわたって収録した運転履歴データファイルを、任意に設定された検索情報に基づいて検索し、所望の履歴データを任意に設定された出力形式に編集して入出力装置に出力する履歴データ検索出力装置において、
前記運転履歴データファイルに収録された任意のプラント状態について、前記入出力装置から入力された運転日時とコメントをコメント情報ファイルに登録する手段と、
前記入出力装置からのコメント一覧表示要求により前記コメント情報ファイル内のコメントのリストを表示する手段と、
前記コメントのリストから選択された前記入出力装置からのコメント選択情報により、選択されたコメントの日時に基づいて前記運転履歴データファイルから前記選択されたコメントに対応する履歴データを取り出す手段と、
複数の出力形式の中から前記入出力装置により選択された出力形式に基づいて前記履歴データファイルから取り出された前記コメントに対応する履歴データを編集し表示する手段と
を具備することを特徴とする履歴データ検索出力装置。
【請求項２】
前記履歴データを編集し表示する手段は、
前記運転履歴データファイルから取り出された前記コメントに対応する履歴データを前記入出力装置により設定された出力形式に編集して、あらかじめ設定された同一出力形式の基準データと比較可能なように重ねあわせてまたは並べて表示することを特徴とする請求項１記載の履歴データ検索出力装置。
【請求項３】
前記履歴データを取り出す手段は、
前記入出力装置により複数のコメントが選択された場合、選択された複数のコメントのそれぞれの日時に基づいて前記運転履歴データファイルからそれぞれ対応する履歴データを取り出し、
前記履歴データを編集し表示する手段は、
前記運転履歴データファイルから取り出された前記複数の履歴データを前記入出力装置により設定された出力形式に編集して、比較可能なように重ね合わせてまたは並べて表示することを特徴とする請求項１記載の履歴データ検索出力装置。
【請求項４】
プラントからプラントデータを長期間にわたって収録した運転履歴データファイルを、任意に設定された検索情報に基づいて検索し、所望の履歴データを時間軸に沿ってデータ値の変化を示すＴＹグラフに編集して入出力装置に出力する履歴データ検索出力装置において、
前記任意に設定された検索情報を格納する検索情報管理ファイルと、検索要求により前記検索情報管理ファイルに基づいて前記運転履歴データファイルから該当する履歴データを取り出し、検索結果ファイルに保存する履歴データ検索手段と、
前記検索結果ファイルに保存されている履歴データを用いてＴＹグラフを作成し、前記入出力装置に表示する手段と、
前記入出力装置に表示されたＴＹグラフの任意の表示期間に対して検索周期の変更要求を受け付け、前記検索情報管理ファイルに変更対象の表示期間および変更後の検索周期を設定し、前記履歴データ検索手段に検索要求を出力する周期変更手段とを具備し、
前記履歴データ検索手段は、
前記周期変更手段から前記検索要求が出力された場合、前記変更対象の表示期間および前記変更後の検索周期に基づいて前記運転履歴データファイルから該当する検索周期変更後の履歴データを取り出し、検索結果ファイルに保存し、
前記表示する手段は、
前記ＴＹグラフの前記変更対象の表示期間に対応する部分を前記検索周期変更後の履歴データに基づき作成し、前記変更対象の表示期間以外の表示期間に対応する部分を前記検索周期変更後の履歴データに基づき作成し、前記入出力装置に表示することを特徴とする履歴データ検索出力装置。
【請求項５】
プラントからプラントデータを長期間にわたって収録した運転履歴データファイルを、任意に設定された検索情報に基づいて検索し、所望の履歴データを任意に設定された出力形式に編集して入出力装置に出力する履歴データ検索出力装置において、
前記検索情報に基づいて前記運転履歴データファイルから取出された複数の運転期間の履歴データを、それぞれ時間軸に沿ってデータ値の変化を示すＴＹグラフデータに編集し、前記入出力装置に表示する手段と、
前記入出力装置に表示される複数のＴＹグラフデータを格納するＴＹグラフデータファイルと、
前記入出力装置からの帳表出力要求により、前記ＴＹグラフデータファイルからＴＹグラフに表示されている各運転期間の履歴データを取り出し、各運転期間の開始時刻を零とした相対時間で且つ各運転期間の中の最も最短の周期に合わせて各運転時間の履歴データを並べた帳表データを作成する帳票作成手段と
を具備することを特徴とする履歴データ検索出力装置。
【請求項６】
プラントからプラントデータを長期間にわたって収録した運転履歴データファイルを、任意に設定された検索情報に基づいて検索し、所望の履歴データを任意に設定された出力形式に編集して入出力装置に出力する履歴データ検索出力装置において、
前記運転履歴データファイルから取り出された履歴データを格納する検索結果ファイルと、
前記検索結果ファイルに格納された履歴データからプラントデータ間の相関関係を示す散布点グラフの散布点データおよび回帰曲線を作成する散布点グラフ作成手段と、
前記散布点グラフ作成手段からの散布点データおよび回帰曲線に基づいて、前記入出力装置に散布点グラフを表示する表示手段と、
前記入出力装置に表示された散布点グラフから範囲指定によって選択された散布点データの選択情報および削除要求を前記入出力装置から入力し、前記入出力装置に表示された散布点グラフから前記選択された散布点データを削除する散布点削除手段と、
前記散布点グラフ作成手段によって作成された散布点データから前記散布点削除手段によって削除された散布点データを用いて回帰計算を行い、この回帰計算によって得られた回帰曲線を前記表示手段を介して前記入出力装置に表示する回帰計算手段と
を具備することを特徴とする履歴データ検索出力装置。
【請求項７】
前記散布点削除手段が、前記選択された散布点データを削除するか否かを、散布点データの個数または散布点データの品質に基づいて判定する手段を有することを特徴とする請求項６記載の履歴データ検索出力装置。
【請求項８】
前記表示手段が、前記散布点グラフ作成手段からの回帰曲線を消去して前記回帰計算手段からの回帰曲線を表示する手段を有することを特徴とする請求項６または７記載の履歴データ検索出力装置。
【請求項９】
前記表示手段が、前記散布点グラフ作成手段からの回帰曲線を前記回帰計算手段からの回帰曲線と識別可能なように表示変更する手段を有することを特徴とする請求項６または７記載の履歴データ検索出力装置。
【請求項１０】
プラントからプラントデータを長期間にわたって収録した運転履歴データファイルを、任意に設定された検索情報に基づいて検索し、検索結果を検索結果ファイルに保存して、所望の履歴データを任意に設定された出力形式に編集して入出力装置に出力する履歴データ検索出力装置において、
前記入出力装置を介して入力された検索起点を示す情報、前記検索起点からの検索方向を指定する情報および前記検索起点からの検索範囲を指定する情報を検索情報として設定する検索情報設定手段と、
設定された検索情報に基づいて、前記検索起点から過去方向または現在方向または双方向に検索範囲として指定された一定個数分または一定期間内に収集された履歴データを前記運転履歴データファイルから抽出し、前記検索結果ファイルに保存する検索手段と
を具備することを特徴とする履歴データ検索出力装置。
【請求項１１】
前記検索起点を示す情報が複数の検索起点を指定する間隔データを含むことを特徴とする請求項１０記載の履歴データ検索出力装置。
【請求項１２】
前記検索起点を示す情報に含まれる前記間隔データは、前記複数の検索起点に対応し、それぞれ異なる検索間隔を示すデータであることを特徴とする請求項１１記載の履歴データ検索出力装置。
【発明の詳細な説明】
【０００１】
【発明の属する技術分野】
本発明は、発電所等のプラントの長期間保存された運転履歴データについて検索を行い、所望の表示形式に展開する履歴データ検索出力装置に関する。
【０００２】
【従来の技術】
発電プラント等のプロセスプラントから得られるプラントデータは、光ディスク等に収録され、運転履歴データとして長期保存される。この運転履歴データは、例えば管理用計算機によって保存・管理され、この管理用計算機に接続されたパソコン等の端末により、運転履歴データから所望のデータを取り出して、データ値の時間変化を示すΤＹグラフや２者のデータ間の相関関係を示すＸＹグラフのような所望の表示形式にて出力できるようになっている。
【０００３】
図３２は、上記管理用計算機１と複数の端末３によって構成される履歴データ検索出力装置のネットワーク構成例を示すもので、このシステムでは管理用計算機１は、発電プラント５からのプロセスデータを各部の計算機７を介して収集し、運転履歴データとして光ディスク等の外部記憶装置９に収録するとともに、端末３からの検索要求により、収録された運転履歴データを読み出して端末３に転送する。
【０００４】
【発明が解決しようとする課題】
ところで、従来の履歴データ検索出力装置では、収録済の運転履歴データを検索しΤＹグラフに出力する場合、グラフ出力するプラント点が不良や欠損といった品質のデータを発生した場合、無効な値のところで線の描画は行われないので、時間で変化する値の傾向を見ることができなかった。
【０００５】
また、ΤＹグラフ上の現在値を刻々と変化させる場合、グラフからデータがはみ出るとデータを表示させることができないので、人間が操作しないと継続して監視することができなかった。
【０００６】
また、自動的に計算機が判定したイベントは保存されるが、ユーザが手入力したイベント（コメント）は登録されなかった。そのため、そのイベントの日時とコメントは紙などに記録しておかなくてはならなかった。
【０００７】
したがって、コメントから対応する運転履歴データを検索して表示するようなことはできなかった。
【０００８】
また、収録済の運転履歴データを検索しＴＹグラフに出力する場合、プラント起動時の状態値など同一イベントの運転期間の異なる運転履歴データを同一グラフ上では２つの運転期間しか重ね合わせて表示することができなかった。そのため、それ以外の運転期間を重ね合わせするには運転期間を設定し直さなければならなかった。
【０００９】
また、収録済の運転履歴データを検索しＴＹグラフに出力する場合、プラントにおいて起動などのイベントで、過去に発生した同一イベント個所のデータを同一グラフ上に描画し、全グラフを一括してスクロールして全データの相対時間の変化に沿ったグラフの傾向を見ることができなかった。
【００１０】
また、収録済の運転履歴データを検索しＴＹグラフに出力する場合、設定される検索周期は一定であるので、グラフ出力後にグラフの重要な期間を詳しく見るには再度、設定・検索を行わなければならず、対話が複雑であった。
【００１１】
また、収録済の運転履歴データを検索し、グラフ表示している値を帳表に出力する場合、絶対時刻で出力するので、値の比較を行うときオペレータが出力している値の位置を変更して見やすくしないといけなかった。
【００１２】
また、ある値の相関関係を見る場合にＸＹ散布図を用いるが、ある特定期間の値にて回帰曲線をグラフに表示するので、その期間の値に削除したいデータがある場合、別画面でそのデータを削除してから再度ＸＹ散布図および回帰曲線の表示を行うようにしなければならなかった。さらに、そのため、再度表示されたＸＹ散布図では削除したデータを判別することができなかった。
【００１３】
また、運転履歴データを検索するための検索情報の設定項目として、検索期間と検索周期があるが、指定した日時が運転履歴データの日時に一致しない場合は、運転履歴データを取り出すことができない。このため、不定期に収録されている運転履歴データに関しては、必要とする運転履歴データを取り出すための検索情報の設定が難しいという問題があった。また、検索周期も検索ごとに一種類しか指定できないため、不定期な運転履歴データはイベントに応じた木目細かい検索は不可能であった。
【００１４】
例えば、不定期な運転履歴データを的確に検索するには、直接時刻で指定すれば可能であるが、そのためには対応するイベントの時刻を正確に把握する必要があった。
【００１５】
また、検索期間内のある期間には重要度の高い運転履歴データ（プラント起動時のデータなど）が、他の期間には重要度の低い運転履歴データ（負荷安定時のデータ）が共存するときでも、一定周期での検索指定しかできないため、重要度の違いにかかわらず等間隔で運転履歴データを検索するしかなかった。
【００１６】
本発明は、かかる点に対処してなされたもので、容易な対話操作で運転履歴データを検索し、分析しやすくかつ適切なデータ評価が可能な所望の表示形式で出力することができる履歴データ検索出力装置を提供することを目的とする。
【００１７】
また本発明は、不定期な運転履歴データに対しても確実でかつ容易に検索することができる履歴データ検索出力装置を提供することを目的とする。
【００１８】
また本発明は、一検索期間内にデータの重要度に応じて検索周期を変更することができる履歴データ検索出力装置を提供することを目的とする。
【００２３】
【課題を解決するための手段】
すなわち、請求項１の発明は、プラントからプラントデータを長期間にわたって収録した運転履歴データファイルを、任意に設定された検索情報に基づいて検索し、所望の履歴データを任意に設定された出力形式に編集して入出力装置に出力する履歴データ検索出力装置において、前記運転履歴データファイルに収録された任意のプラント状態について、前記入出力装置から入力された運転日時とコメントをコメント情報ファイルに登録する手段と、前記入出力装置からのコメント一覧表示要求により前記コメント情報ファイル内のコメントのリストを表示する手段と、前記コメントのリストから選択された前記入出力装置からのコメント選択情報により、選択されたコメントの日時に基づいて前記運転履歴データファイルから前記選択されたコメントに対応する履歴データを取り出す手段と、複数の出力形式の中から前記入出力装置により選択された出力形式に基づいて前記履歴データファイルから取り出された前記コメントに対応する履歴データを編集し表示する手段とを具備することを特徴とする。
【００２４】
請求項１の発明においては、オペレータが所望のプラント状態（イベント）に対してその運転日時とともにイベントを表すコメントを登録しておくことにより、そのプラント状態（イベント）をコメントにより管理することができる。後にそのイベント時の運転履歴データを検索するときは、コメントに設定された日時を検索日時に用いる。
【００２５】
請求項２の発明は、請求項１の履歴データ検索出力装置において、前記履歴データを編集し表示する手段は、前記運転履歴データファイルから取り出された前記コメントに対応する履歴データを前記入出力装置により設定された出力形式に編集して、あらかじめ設定された同一出力形式の基準データと比較可能なように重ねあわせてまたは並べて表示することを特徴とする。
【００２６】
請求項３の発明は、請求項１の履歴データ検索出力装置において、前記履歴データを取り出す手段は、前記入出力装置により複数のコメントが選択された場合、選択された複数のコメントのそれぞれの日時に基づいて前記運転履歴データファイルからそれぞれ対応する履歴データを取り出し、前記履歴データを編集し表示する手段は、前記運転履歴データファイルから取り出された前記複数の履歴データを前記入出力装置により設定された出力形式に編集して、比較可能なように重ね合わせてまたは並べて表示することを特徴とする。
【００２７】
請求項２，３の発明においては、コメント一覧画面上で選択されたコメントの時刻をもとに運転履歴データを検索して、検索結果をＴＹグラフやＸＹグラフ、帳表に表示出力する。その際、過去の同様なイベントの運転履歴データ同士のグラフの重合わせ表示や基準の運転履歴データとのグラフの重合わせ表示を容易に行うことができる。
【００３３】
請求項４の発明は、プラントからプラントデータを長期間にわたって収録した運転履歴データファイルを、任意に設定された検索情報に基づいて検索し、所望の履歴データを時間軸に沿ってデータ値の変化を示すＴＹグラフに編集して入出力装置に出力する履歴データ検索出力装置において、前記任意に設定された検索情報を格納する検索情報管理ファイルと、検索要求により前記検索情報管理ファイルに基づいて前記運転履歴データファイルから該当する履歴データを取り出し、検索結果ファイルに保存する履歴データ検索手段と、前記検索結果ファイルに保存されている履歴データを用いてＴＹグラフを作成し、前記入出力装置に表示する手段と、前記入出力装置に表示されたＴＹグラフの任意の表示期間に対して検索周期の変更要求を受け付け、前記検索情報管理ファイルに変更対象の表示期間および変更後の検索周期を設定し、前記履歴データ検索手段に検索要求を出力する周期変更手段とを具備し、前記履歴データ検索手段は、前記周期変更手段から前記検索要求が出力された場合、前記変更対象の表示期間および前記変更後の検索周期に基づいて前記運転履歴データファイルから該当する検索周期変更後の履歴データを取り出し、検索結果ファイルに保存し、前記表示する手段は、前記ＴＹグラフの前記変更対象の表示期間に対応する部分を前記検索周期変更後の履歴データに基づき作成し、前記変更対象の表示期間以外の表示期間に対応する部分を前記検索周期変更後の履歴データに基づき作成し、前記入出力装置に表示することを特徴とする。
【００３４】
請求項４の発明においては、表示したＴＹグラフ上のプラント運用上重要なデータの含まれる期間とより短い検索周期を同画面上より設定することにより、新たに設定された検索情報で運転履歴データの検索を行い、ＴＹグラフ上の指定された期間には新たに検索された結果データを表示することができる。これにより、視覚的にデータを確認しながら適切な検索情報を設定することができ、プラントの運用業務の効率を向上させることができる。
【００３５】
請求項５の発明は、プラントからプラントデータを長期間にわたって収録した運転履歴データファイルを、任意に設定された検索情報に基づいて検索し、所望の履歴データを任意に設定された出力形式に編集して入出力装置に出力する履歴データ検索出力装置において、前記検索情報に基づいて前記運転履歴データファイルから取出された複数の運転期間の履歴データを、それぞれ時間軸に沿ってデータ値の変化を示すＴＹグラフデータに編集し、前記入出力装置に表示する手段と、前記入出力装置に表示される複数のＴＹグラフデータを格納するＴＹグラフデータファイルと、前記入出力装置からの帳表出力要求により、前記ＴＹグラフデータファイルからＴＹグラフに表示されている各運転期間の履歴データを取り出し、各運転期間の開始時刻を零とした相対時間で且つ各運転期間の中の最も最短の周期に合わせて各運転時間の履歴データを並べた帳表データを作成する帳票作成手段とを具備することを特徴とする。
【００３６】
請求項５の発明においては、期間の異なる複数のＴＹグラフデータを帳表出力する際に、絶対日時で出力せず、起点日時からの相対日時で出力することにより、グラフで比較するのと同レベルで帳表に出力された結果データも比較が容易となる。
【００３７】
請求項６の発明は、プラントからプラントデータを長期間にわたって収録した運転履歴データファイルを、任意に設定された検索情報に基づいて検索し、所望の履歴データを任意に設定された出力形式に編集して入出力装置に出力する履歴データ検索出力装置において、前記運転履歴データファイルから取り出された履歴データを格納する検索結果ファイルと、前記検索結果ファイルに格納された履歴データからプラントデータ間の相関関係を示す散布点グラフの散布点データおよび回帰曲線を作成する散布点グラフ作成手段と、前記散布点グラフ作成手段からの散布点データおよび回帰曲線に基づいて、前記入出力装置に散布点グラフを表示する表示手段と、前記入出力装置に表示された散布点グラフから範囲指定によって選択された散布点データの選択情報および削除要求を前記入出力装置から入力し、前記入出力装置に表示された散布点グラフから前記選択された散布点データを削除する散布点削除手段と、前記散布点グラフ作成手段によって作成された散布点データから前記散布点削除手段によって削除された散布点データを用いて回帰計算を行い、この回帰計算によって得られた回帰曲線を前記表示手段を介して前記入出力装置に表示する回帰計算手段とを具備することを特徴とする。
【００３８】
請求項６の発明においては、散布点グラフ画面上にて、範囲指定することでその内部の散布点を直接削除して、回帰曲線の変更を行うことができる。これにより、散布点データの回帰計算に不要な散布点を、容易にかつ確実に削除することができ、回帰曲線の修正にかかる作業効率を大幅の向上させることができる。
【００３９】
請求項７の発明は、請求項６の履歴データ検索出力装置において、前記散布点削除手段が、前記選択された散布点データを削除するか否かを、散布点データの個数または散布点データの品質に基づいて判定する手段を有することを特徴とする。
【００４０】
請求項７の発明においては、散布点データを削除するか否かの判定基準を設けることにより、重要な散布点データの不用意な削除を防止することができる。
【００４１】
請求項８の発明は、請求項６または７の履歴データ検索出力装置において、前記表示手段が、前記散布点グラフ作成手段からの回帰曲線を消去して前記回帰計算手段からの回帰曲線を表示する手段を有することを特徴とする。
【００４２】
請求項９の発明は、請求項６または７の履歴データ検索出力装置において、前記表示手段が、前記散布点グラフ作成手段からの回帰曲線を前記回帰計算手段からの回帰曲線と識別可能なように表示変更する手段を有することを特徴とする。
【００４３】
請求項９の発明においては、散布点削除前の回帰曲線を消去しないで表示変更とすることにより、散布点削除による回帰曲線の修正部分をより明らかにすることができる。
【００４４】
請求項１０の発明は、プラントからプラントデータを長期間にわたって収録した運転履歴データファイルを、任意に設定された検索情報に基づいて検索し、検索結果を検索結果ファイルに保存して、所望の履歴データを任意に設定された出力形式に編集し入出力装置に出力する履歴データ検索出力装置において、前記入出力装置を介して入力された検索起点を示す情報、前記検索起点からの検索方向を指定する情報および前記検索起点からの検索範囲を指定する情報を検索情報として設定する検索情報設定手段と、設定された検索情報に基づいて、前記検索起点から過去方向または現在方向または双方向に検索範囲として指定された一定個数分または一定期間内に収集された履歴データを前記運転履歴データファイルから抽出し、前記検索結果ファイルに保存する検索手段とを具備することを特徴とする。
【００４５】
請求項１０の発明においては、不定期に収録された運転履歴データに対しても必要な履歴データを取り出すことができる。
【００４６】
請求項１１の発明は、請求項１０の履歴データ検索出力装置において、前記検索起点を示す情報が複数の検索起点を指定する間隔データを含むことを特徴とする。
【００４７】
請求項１１の発明においては、不定期に収録された運転履歴データに対しても一定間隔または不定期な間隔で運転履歴データを取り出すことができる。
【００４８】
請求項１２の発明は、請求項１１の履歴データ検索出力装置において、前記検索起点を示す情報に含まれる前記間隔データは、前記複数の検索起点に対応し、それぞれ異なる検索間隔を示すデータである。
【００４９】
請求項１２の発明においては、検索情報として検索起点、検索起点からの検索方向、検索起点からの検索範囲を任意に指定可能とすることにより、必要な運転履歴データを検索することができる。
【００５０】
【発明の実施の形態】
以下、図面に基づいて本発明の実施の形態を説明する。なお、各実施の形態において、共通する部分には同一符号を付して説明する。
【００５１】
図１は、本発明の履歴データ検索出力装置の第１の実施の形態の主要部構成を示すものである。本実施の形態は、収録された運転履歴データファイルから検索されＴＹグラフ表示用に編集されたＴＹグラフデータを格納するＴＹグラフデータファイル１１と、ＴＹグラフに表示される各データ値の品質を判定する品質判定手段１３と、品質判定の結果からデータ欠損期間に応じてデータ欠損期間の始点と終点との間を線描画する線描画判定手段１５と、線描画判定手段１５からのＴＹグラフデータをＣＲＴやＬＣＤ等の表示装置１７および必要に応じて図示しないプリンタ等に出力する出力処理手段１９によって構成されている。
【００５２】
次に、本実施の形態の作用を説明する。
プラントからの各データ値は、例えば正常、警報、データ挿入、不良、除外、不定、欠損等の品質を有する。ここで、正常は値が正常範囲にあるデータ、警報は警報制限値を逸脱したデータ、データ挿入は測定されたデータではなくオペレータが入力したデータ、不良は測定装置が故障していて信頼性のないデータ、除外はプラントを監視制御するユニット計算機が除外からの復帰もしくは計算機のイニシャライズから初めてスキャンされるまでの初期状態のデータ、不定は測定装置が交換中などのデータ取得ができない状態のデータ、欠損はユニット計算機からデータが正常に送信されなかったデータである。これらのデータの品質は基本的にはユニット計算機によって設定される。
【００５３】
ＴＹグラフは時系列で履歴データを表示するため、通常、検索した履歴データの古い順から、データ品質が正常、警報、データ挿入といった有効な値を直線で結んで時間軸に沿ってグラフ線表示がなされている。しかしながら、データ品質が不良、除外、不定、欠損といった場合には、無効値としてＴＹグラフに表示されず、ブランクのデータ欠損区間が発生する。
【００５４】
ＴＹグラフデータファイル１１は、表示装置１７に表示するための上記したようなＴＹグラフデータを記憶している。
【００５５】
品質判定手段１３は、ＴＹグラフデータファイル１１に格納されている全プラント点の検索周期ごとの各データについて、それぞれ設定されている品質から無効データか否かを判定する。
【００５６】
線描画判定手段１５は、品質判定手段１３によって判定された無効データからデータ欠損期間を算出し、このデータ欠損期間に対応する表示区間が所定間隔以上となる場合には、図２（ａ）に示すように、その区間は線を描画しない。しかしながら、データ欠損区間が所定間隔以下ならば、図２（ｂ）に示すように、データ欠損期間前後の有効データ間を直線で結ぶ。
【００５７】
出力処理手段１７は、線描画判定手段１５によって必要に応じてデータ欠損区間が線描画されたＴＹグラフデータを表示装置に表示する。
【００５８】
データ欠損区間を直線で結ぶか結ばないかの基準間隔は、例えばグラフ表示エリアの一定％（例えば１０％）として求められる。データ欠損区間が全体の例えば１０％以下のような短い間隔では、データ欠損区間を直線で結んでも全体のデータの動向から大きく外れることは少なく、区間を直線で結ぶことによってデータの傾向が分かりやすくなる。また、１０％以上のような大きい間隔では、データ欠損区間が全体のデータ傾向に及ぼす影響が大きくなるため、データ欠損区間に線を描画しない。
【００５９】
具体例を挙げると、表示期間が６０分のとき、データ欠損期間が１０分続いた場合には、その期間は全体の割合の１０％を越えるので線を描画しない。しかしながら、表示期間が６０分から少しずづ延びて１００分に達すると、１０分のデータ欠損期間にも線描画されることになる。このような線描画は、履歴データ全体の傾向を把握したいときに利用することができる。
【００６０】
以上の説明からも明らかなように、本実施の形態によれば、データが無効であると判定される値が多数存在してもある一定区間内に有効データがあればＴＹグラフ画面上で線が描画されるため、一般プラントの運転履歴データの傾向を知ることができる。
【００６１】
図３は、本発明の履歴データ検索出力装置の第２の実施の形態を示すものである。本実施の形態は、表示装置１７およびキーボード、マウス等の入力装置２１並びにプリンタ等の印刷装置（図示せず）を備えた入出力装置２３と、入力装置２１からの検索情報を検索情報管理ファイル２５に設定する検索情報設定手段２７と、運転履歴データを収録する運転履歴データファイル２９と、検索情報管理ファイル２５に基づいて運転履歴データファイル２９から該当する履歴データを読み出す履歴データ検索手段３１と、履歴データ検索手段３１によって読み出された履歴データを格納する検索結果ファイル３３と、検索情報管理ファイル２５に基づいて該当するプラント点の最新値を取り込む現在値自動更新手段３５と、検索情報管理ファイル２５に基づいて検索結果ファイル３３内の履歴データおよび現在値自動更新手段３５からの最新データをＴＹグラフデータに編集する検索結果編集手段３７と、現在値自動更新手段３５からの最新データに応じて検索結果編集手段３７のＴＹグラフデータのＹ軸の表示範囲を自動的に変更する表示範囲自動変更手段３９と、検索結果編集手段３７からのＴＹグラフデータを入出力装置２３に出力する出力処理手段１９とで構成されている。
【００６２】
検索情報管理ファイル２５は、検索情報設定手段２７によって設定された検索情報、例えば検索対象のプラント点（ＰＩＤ）と、検索対象のデータ収集期間  （運転期間）と、ＴＹグラフ、ＸＹグラフ、帳表、分布図等の出力形式と、検索周期等の検索情報を格納する。
【００６３】
次に、本実施の形態の作用を図４を用いて説明する。
入力装置２１から現在値データ自動更新グラフ画面の表示要求を行うと、履歴データ検索手段３１は検索情報設定手段２７により検索情報管理ファイル２５に設定された検索情報に基づいて運転履歴データファイル２９から該当するプラント点の所定期間過去に溯った履歴データを取り出し検索結果ファイル３３に保存する。
【００６４】
検索結果編集手段３７は、検索情報管理ファイル２５に設定された表示形式に従って検索結果ファイル３３内の過去の履歴データの最大値および最小値から各プラント点の表示上限値、下限値を決定し、これをＹ軸のグラフ表示範囲として出力処理手段１９を介して表示装置１７に図４（ａ）に示すように履歴データのＴＹグラフを表示する。
【００６５】
ついで、検索結果編集手段３７は、現在値自動更新手段３５を利用して、履歴データの終点からある周期で現在値を図４（ａ）に示すＴＹグラフにプロットしていく。
【００６６】
図４（ａ）に示すＴＹグラフの表示範囲に現在値自動更新手段３５からの現在値をプロットすることができなくなると、表示範囲自動変更手段３９は、現在値自動更新手段３５からの現在値と検索結果編集手段３７からの表示上限値・下限値との比較により、現在値がグラフ表示範囲から逸脱していることを検出し、この現在値を最大値あるいは最小値としてグラフの表示上限値・下限値を計算しなおして、検索結果編集手段３７に通知する。
【００６７】
検索結果編集手段３７は、図４（ｃ）に示すように、表示範囲自動変更手段３９によって変更されたグラフ表示範囲にて現在値をグラフ表示する。これにより、現在値をグラフエリアからはみ出ないように、自動的にグラフ表示範囲を変更してデータを表示することができる。
【００６８】
以上の説明からも明らかなように、本実施の形態によれば、グラフからデータがはみ出ても自動的にグラフの上限値・下限値を変更してグラフ内にデータを表示することで、オペレータが操作しなくても継続して監視することができ、作業効率の向上を図ることができる。
【００６９】
図５は、本発明の履歴データ検索出力装置の第３の実施の形態を示すものである。本実施の形態は、入出力装置２３と、コメント登録画面を表示しプラントのイベントの日時とコメントを設定するコメント設定手段４１と、コメント設定手段４１により設定されたコメント情報を格納するコメント情報ファイル４３と、コメント情報ファイル４３に基づいてコメント一覧を入出力装置２３に出力するコメント一覧出力手段４５と、検索情報設定画面を表示し検索情報を設定する検索情報設定手段２７と、検索情報設定手段２７によって設定された検索情報を格納する検索情報管理ファイル２５と、全プラント点の運転履歴データを収録する運転履歴データファイル２９と、検索情報管理ファイル２５に基づいて運転履歴データファイル２９を検索し、検索対象データを読み出す履歴データ検索手段３１と、履歴データ検索手段３１によって読み出された履歴データを格納する検索結果ファイル３３と、検索情報管理ファイル２５に設定されている出力形式に従って検索結果ファイル３３内の履歴データを編集する検索結果編集手段３７と、検索結果編集手段３７によって編集されたデータを入出力装置２３に出力する出力処理手段１９とで構成されている。
【００７０】
次に、本実施の形態の作用を図５〜図８を用いて説明する。なお、図６はコメント設定手段４１とコメント一覧出力手段４５の作用を、図７は本実施の形態の作用を説明する図であり、図８は各出力形式を示す図である。
【００７１】
オペレータからの要求により、コメント設定手段４１は表示装置１７に図６  （ａ）または図７に示すようなコメント登録画面Ｇ１を表示する。オペレータが、このコメント登録画面Ｇ１において、登録対象のイベントの日時とコメントをキーボード等の入力装置２１により入力し、マウス等により登録ボタンＢ１を選択すると、コメント設定手段４１は、入力された日時とコメントをコメント情報ファイル４３に登録する。
【００７２】
コメント情報ファイル４３に登録された日時とコメントの情報は、オペレータからの要求により、コメント一覧出力手段４５によって取り出され、図６（ｂ）または図７に示すようなコメント一覧画面Ｇ２に編集されて表示装置１７に表示される。
【００７３】
また、図７に示すコメント一覧画面Ｇ２において、入力装置２１によりコメント一覧から所望のコメントを選択し設定ボタンＢ２を選択すると、コメント一覧に基づいた検索情報設定画面Ｇ３が表示装置１７に表示される。
【００７４】
このコメント一覧検索情報設定画面Ｇ３において、入力装置２１を介して検索期間、検索ポイント、出力形態を設定すると、再びコメント一覧画面Ｇ２が表示され、ここで表示ボタンＢ３または重合せボタンＢ４が選択されることにより、検索情報設定手段２７は設定された情報を検索情報ファイル２５に設定し、履歴データ検索手段３１に検索要求をする。
【００７５】
ここで、重合せボタンＢ４はコメント一覧から２つ以上のコメントを選択して選択されることにより、それぞれのコメントに対応する２つ以上の期間分のデータが設定された出力形態で重合わせ表示される。なお、コメントに対応してあらかじめ標準データを設定しておくことにより、１つのコメントに対して重合せボタンＢ４を選択することで、コメントに対応する履歴データと標準データを重合わせ表示するようにすることもできる。さらには、すでに表示しているグラフ上にコメント一覧画面から選択されたグラフを現在表示しているスパンに自動で合わせて重ね合わせ表示するようにすることもできる。
【００７６】
履歴データ検索手段３１は、コメント一覧検索情報設定画面Ｇ３を介しての検索要求により、検索情報ファイル２５とコメント情報ファイル４３を参照し、コメント一覧画面Ｇ２で選択されたコメントの日時から運転履歴データファイル２９より検索対象履歴データを読み出して検索結果ファイル３３に保存する。
【００７７】
検索結果編集手段３７は、検索結果ファイル３３および検索情報ファイル２５に基づいて、コメント一覧検索情報設定画面Ｇ３で設定された出力形態に従って検索結果データを編集し、出力処理手段１９を介して表示装置１７に図８に示すように表示する。
【００７８】
例えば、コメント一覧検索情報設定画面Ｇ３において、出力形態がＴＹグラフで、検索期間がコメント時刻前後に設定された場合、図８（ａ）に示すような画面が表示される。なお、図８（ｂ）は検索期間をコメント時刻を起点として設定した場合のＴＹグラフ画面例を、図８（ｃ）は検索期間をコメント時刻を終点として設定した場合のＴＹグラフ画面例をそれぞれ示す。さらに図８（ｄ）は出力形態をＸＹグラフとした場合の画面例を、図８（ｅ）は出力形態に帳表を選択した場合の表示画面例を示す。
【００７９】
以上の説明からも明らかなように、本実施の形態によれば、オペレータが任意のプラント状態の運転時刻にコメントを登録することができる。そのため、計算機が自動的にイベント判定することができないプラント状態や、計算機が自動的にイベントを判定する機構を持ち合わせていないときでも、オペレータが所望のプラント状態（イベント）に対してその運転日時とともにイベントを表すコメントを登録しておくことにより、そのプラント状態（イベント）をコメントにより管理することができる。後にそのイベント時の運転履歴データを検索するときは、コメントに設定された日時を検索日時に用いる。
【００８０】
また、本実施の形態によれば、過去の重要な運転状態をコメントを設定することでコメントー覧画面から容易に見つけることができ、過去の重要なイベントや期間の運転履歴データを、改めて詳細に検索設定することなく容易にグラフや帳表に表示出力することができる。さらにその際、過去の同様なイベントの運転履歴データ同士のグラフの重合わせ表示や基準の運転履歴データとのグラフの重合わせ表示を容易に行うことができ、コメント登録することで運転履歴データの比較解析も容易に行うことができる。
【００８１】
なお、コメントが多くなるにつれて、コメント一覧から所望のコメントを探すのは困難となる。そこで、コメントに含まれる文字列、または期間を指定し、それに該当するコメントのみをコメント情報ファイル４３より抽出してコメントー覧に出力するよう構成することもできる。
【００８２】
さらに、コメントー覧に出力するとき、ある特定のユーザに対してしかコメントを出力しないようにすることも可能である。
【００８３】
図９は、本発明の履歴データ検索出力装置の第４の実施の形態を示すものである。本実施の形態は、入出力装置２３と、入力装置２１からの情報に基づいて検索情報を検索情報管理ファイル２５に設定し履歴データ検索手段３１に検索要求をする検索情報設定手段２７と、検索情報管理ファイル２５に基づいて運転履歴データファイル２９から該当する履歴データを読み出し検索結果ファイル３３に保存する履歴データ検索手段３１と、検索情報管理ファイル２５および検索結果ファイル３３に基づいて検索された履歴データを編集し出力処理手段１９を介して表示装置１７に複数の運転期間のＴＹグラフを任意に重ね合わせて表示可能なグラフ画面を出力する検索結果編集手段３７と、あらかじめ設定されたｎ個の運転期間からＴＹグラフを重ね合わせて表示する運転期間を複数選択する表示期間選択手段５１と、グラフ画面に表示されたＴＹグラフを時間軸方向に個別に任意に移動する表示期間移動手段５３とで構成されている。
【００８４】
次に、本実施の形態の作用を図９および図１０を用いて説明する。
オペレータが入出力装置２３を介して検索情報設定手段２７を利用して所定プラント点についてｎ個の検索対象運転期間を設定してＴＹグラフの表示要求を行うと、履歴データ検索手段３１は検索情報設定手段２７により検索情報管理ファイル２５に設定された検索情報に基づいて運転履歴データファイル２９から該当するプラント点のｎ個の運転期間分の履歴データを取り出し検索結果ファイル３３に保存する。
【００８５】
検索結果編集手段３７は、検索結果ファイル３３に保存されたｎ個の運転期間分の履歴データのうち、表示期間選択手段５１を介して選択された複数の運転期間の履歴データを検索情報管理ファイル２５に設定されたＴＹグラフ表示形式に従って編集し、出力処理手段１９を介して図１０に示すようなＴＹグラフ画面Ｇ４を表示装置１７に表示する。
【００８６】
図１０において、ＴＹグラフ画面Ｇ４は、複数個の運転期間のＴＹグラフを重合わせ表示するグラフ表示部５５と、選択可能なｎ個の運転期間を一覧表示する期間選択リスト５６と、グラフ表示部５５に表示された複数のＴＹグラフをそれぞれ時間軸方向に個別に移動させる複数のスクロールバー５７とから構成される。
【００８７】
このＴＹグラフ画面Ｇ４において、キーボードやマウス等の入力装置２１により期間選択リスト５６からグラフ表示する複数の運転期間を任意に選択すると、表示期間選択手段５１は選択された運転期間のＴＹグラフを出力するよう検索結果編集手段３７に要求する。これによって、ＴＹグラフ画面Ｇ４のグラフ表示部５５に期間選択リスト５６から選択された複数の運転期間のＴＹグラフが表示される。
【００８８】
さらに、ＴＹグラフ画面Ｇ４において、キーボードやマウス等の入力装置２１によりスクロールバー５７を操作すると、表示期間移動手段５３がスクロールバー５７の移動量を算出して検索結果編集手段３７に通知する。これによって、グラフ表示部５５に表示された複数のＴＹグラフのうち、対応するＴＹグラフがスクロールバー５７の移動に合わせて移動する。
【００８９】
この表示期間移動手段５３によりＴＹグラフを時間軸方向に個々に移動することができ、これによって複数期間の履歴データの開始点を一致させて重合わせ表示することができるため、過去の同一イベントについてイベント開始時刻からの運転履歴を容易に比較することができる。
【００９０】
以上の説明からも明らかなように、本実施の形態によれば、対話画面から簡単な操作により任意の運転期間の履歴データを複数重ね合わせてグラフ表示させることが可能となる。また、任意の運転期間のグラフを個別に容易に時間軸方向に移動させることができるので、簡単な操作で複数のグラフを比較しやすいように表示させことが可能となり、オペレータの操作性を向上させることができる。
【００９１】
図１１は、本発明の履歴データ検索出力装置の第５の実施の形態を示すものである。本実施の形態は、図９に示す第４の実施の形態と比較して、画面に表示された複数のＴＹグラフを一括して移動させる表示エリア移動手段６１が付加されている。
【００９２】
次に、本実施の形態の作用を図１１〜図１３を用いて説明する。
図１２は、複数の運転期間の履歴データを検索した結果を示すもので、検索開始時刻F1ｔa で検索した履歴データと、検索開始時刻F1ｔb で検索した履歴データと、検索開始時刻F1ｔc で検索した履歴データがそれぞれＴＹグラフにして表示されている。画面例を、図１３は図１２に示す３つの運転期間のＴＹグラフの開始点を合わせた後、一括移動させる画面例を示すものである。
【００９３】
図１２に示す各運転期間のＴＹグラフを表示期間移動手段５３により移動させて各グラフの開始点を合わせた後、表示範囲をＦ1 Δｔに設定することにより、図１３（ａ）に示すようなグラフを重合わせたＴＹグラフ画面が表示装置１７に表示される。
【００９４】
図１３（ａ）に示す画面において、グラフ表示部の下部に設けられたスクロールボタンＢ５をキーボード、マウス等の入力装置２１により移動させると、表示エリア移動手段６１がスクロールボタンＢ５の移動量を算出して検索結果編集手段３７に通知する。これによって、画面に表示された複数のＴＹグラフの時間軸の表示範囲が、図１３（ｂ）に示すように、スクロールボタンＢ５の移動に合わせて移動する。
【００９５】
以上の説明からも明らかなように、本実施の形態によれば、複数の運転期間の異なるデータをＴＹグラフ画面に重ね合わせて表示し、重合わせたグラフを全部一括してスクロール可能なため、同−ＴＹグラフ画面に最新のデータと過去のデ一タを重ね合わせて見ることができ、正確なデータ分析が可能となる。
【００９６】
また、重合わせＴＹグラフ画面を拡大した際に、拡大した時間軸のスケールでスクロール可能となるため、きめ細かいＴＹグラフの変化を比較により容易に検出することができる。
【００９７】
図１４は、本発明の履歴データ検索出力装置の第６の実施の形態を示すものである。本実施の形態は、入出力装置２３と、入力装置２１からの情報に基づいて検索情報を検索情報管理ファイル２５に設定し履歴データ検索手段３１に検索要求をする検索情報設定手段２７と、検索情報管理ファイル２５に基づいて運転履歴データファイル２９から該当する履歴データを読み出し検索結果ファイル３３に保存する履歴データ検索手段３１と、検索情報管理ファイル２５および検索結果ファイル３３に基づいて検索された履歴データを編集し出力処理手段１９を介して表示装置１７にＴＹグラフを表示する検索結果編集手段３７と、表示装置１７に表示されたＴＹグラフの任意の期間の検索周期を変更する周期変更手段７１とで構成されている。
【００９８】
次に、本実施の形態の作用を図１４および図１５を用いて説明する。
検索情報設定画面を介して所望の履歴データのＴＹグラフを表示するよう検索情報を設定すると、検索情報設定手段２７、履歴データ検索手段３１および検索結果編集手段３７により、図１５（ａ）に示すような検索周期が一定（Ｇ5 ）のＴＹグラフが表示装置１７に表示される。
【００９９】
図１５（ａ）に示すようなＴＹグラフ画面において、プラントの運用上重要な期間のみ検索周期を短くしてデータを見たい場合には、対象とする期間の始点と終点を入力装置により指定し、所望の検索周期（Ｇ7 ）を設定することにより、周期変更手段７１によって検索情報管理ファイル２５に変更対象の検索期間と変更後の検索周期が設定される。これにより、履歴データ検索手段３１は検索情報管理ファイル２５に付加された検索情報に基づいて運転履歴データファイル２９から該当する履歴データを読み出して検索結果ファイル３３に保存する。
【０１００】
このようにして検索結果ファイル３３に追加保存された履歴データは、検索結果編集手段３７によってＴＹグラフデータに編集され、図１５（ｂ）に示すようなＴＹグラフとして画面に表示される。
【０１０１】
図１５（ｂ）において、ＴＹグラフは指定された期間のみ新たに設定された検索周期Ｇ7 で表示し、他の期間は通常の検索周期Ｇ5 のままである。
【０１０２】
以上の説明からも明らかなように、本実施の形態によれば、ＴＹグラフ出力によって実際に結果データを確認した後に、結果データを表示したＴＹグラフ上のプラント運用上重要なデータの含まれる期間とより短い検索周期を同画面上より設定し、新たに設定された検索情報で運転履歴データの検索を行ない、ＴＹグラフ上の指定された期間には新たに検索された結果データを表示する。これにより、視覚的にデータを確認しながら適切な検索情報を設定することができ、プラントの運用業務の効率を向上させることができる。
【０１０３】
図１６は、本発明の履歴データ検索出力装置の第７の実施の形態を示すものである。本実施の形態は、表示装置１７、入力装置２１およびプリンタ８１を備えた入出力装置２３と、表示装置１７に表示するＴＹグラフデータを格納するＴＹグラフデータファイル１１と、表示装置１７に複数表示されたＴＹグラフを帳表出力するよう帳表出力要求を受け付けるＴＹグラフ帳表出力要求手段８３と、ＴＹグラフ帳表出力要求手段８３からのＴＹグラフ帳表出力要求によりＴＹグラフデータファイル１１から帳表出力に必要な履歴データを取り出し、各ＴＹグラフの開始点からの相対時間に基づいて帳表データを編集するＴＹグラフ帳表データ編集手段８５と、ＴＹグラフ帳表データ編集手段８５によって編集されたＴＹグラフ帳表データを格納する帳表出力データファイル８７と、ＴＹグラフデータファイル１１のＴＹグラフデータまたは帳表出力データファイル８７の帳表データを表示装置１７および／またはプリンタ８１に出力する出力処理手段１９とで構成されている。
【０１０４】
次に、本実施の形態の作用を図１６〜図１９を用いて説明する。
オペレータが、表示装置１７に複数の運転期間のＴＹグラフが表示されているＴＹグラフ画面から帳表出力を要求すると、ＴＹグラフ帳表出力要求手段８３は入力装置２１から帳表出力要求に対応する信号を入力し、ＴＹグラフ帳表データ編集手段８５に帳表出力要求を行う。
【０１０５】
ＴＹグラフ帳表データ編集手段８５は、帳表出力要求により、表示装置１７に現在表示しているＴＹグラフデータを保存しているＴＹグラフデータファイル１１から帳表出力に必要な複数の運転期間の履歴データを取り出し、各運転期間の履歴データの絶対時刻から始点の時刻を０として運転期間ごとに各履歴データの相対時刻を算出して、相対時刻に基づいて各運転期間の履歴データを並べた帳表データを作成し、帳表出力データファイル８７に保存するとともに、出力処理手段１９に帳表出力要求を行う。
【０１０６】
出力処理手段１９は、ＴＹグラフ帳表データ編集手段８５からの帳表出力要求により、帳表出力データファイル８７内の帳表データを表示装置１７および／またはプリンタ８１に出力する。
【０１０７】
図１７は、このようにして出力された帳表例を示すもので、起点時刻が異なる２つの運転期間のプラント履歴データが起点時刻からの相対時刻でそれぞれ並べて記録されている。これにより、同じイベントの過去の運転履歴を容易に比較することができる。なお、図１８は、２つの運転期間の履歴データを起点時刻を合わせてＴＹグラフで示した場合の図である。
【０１０８】
なお、運転期間とデータ周期の異なる複数のグラフデータを帳表出力する場合には、図１９に示すように、その中から最も最短の周期に合わせて相対時間とデータ値を帳表出力し、その他の期間と周期のデータは先に出力した相対時間に合致する時間のみ出力を行い、合致しない部分はブランク表示とする。これにより、運転期間によってデータ周期が異なっても、帳表による複数データの比較を容易に行うことができる。
【０１０９】
以上の説明からも明らかなように、本実施の形態によれば、運転期間の異なる複数のグラフデータを帳表出力する際に、各グラフ線の最初の値の時刻を起点時刻とし、各グラフ線のデータを相対時刻で表示することにより、帳表においても期間の異なる複数のデータ比較が容易となる。
【０１１０】
図２０は、本発明の履歴データ検索出力装置の第８の実施の形態を示すものである。本実施の形態は、入出力装置２３と、入力装置２１からの情報に基づいて検索情報を検索情報管理ファイル２５に設定し履歴データ検索手段３１に検索要求をする検索情報設定手段２７と、検索情報管理ファイル２５に基づいて運転履歴データファイル２９から該当する履歴データを読み出し検索結果ファイル３３に保存する履歴データ検索手段３１と、検索情報管理ファイル２５および検索結果ファイル３３に基づいて検索された履歴データをＴＹグラフ、散布点グラフ（ＸＹグラフ）、帳表等の表示形式に編集し出力処理手段１９を介して表示装置１７に出力する検索結果編集手段３７と、表示装置１７に表示された散布点グラフから所望の散布点を削除する散布点削除手段９１と、散布点削除手段９１によって削除された後の散布点データを用いて回帰計算を行う回帰計算手段９３とで構成されている。
【０１１１】
次に、本実施の形態の作用を図２０および図２１を用いて説明する。
オペレータが、所望の履歴データについて散布点グラフの表示要求を行うと、履歴データ検索手段３１は、検索情報設定手段２７により検索情報管理ファイル２５に設定された検索情報に基づいて運転履歴データファイル２９から該当する履歴データを検索し、検索結果ファイル３３に保存する。
【０１１２】
検索結果編集手段３７は、検索結果ファイル３３内の履歴データを用いて検索情報管理ファイル２５に設定された表示形式に合わせて散布点グラフデータを作成し、出力処理手段１９を介して表示装置１７に図２１に示すような散布点グラフ画面を表示する。
【０１１３】
図２１に示す散布点グラフ画面において、２つのプラント点のデータの相関関係が散布点で示されるとともに、これらの散布点の回帰計算により求められた回帰曲線（図中、実線で示す。）が図示される。また、この散布点グラフ画面には削除ボタンＢ６と再描画ボタンＢ７が配置される。
【０１１４】
この散布点グラフ画面に表示された散布点のうち、明らかに挙動の異なる散布点があれば、これらの散布点を囲む範囲（図２１において、破線で示す。）をキーボード、マウス等の入力装置２１により指定して、削除ボタンＢ６を選択操作する。
【０１１５】
散布点削除手段９１は、削除ボタンＢ６の選択信号を入力すると、入力装置２１により指定された範囲の散布点を削除するか否かを、例えばあらかじめ決められた最大削除個数と比較することにより、あるいは削除対象データの品質があらかじめ削除不可とした品質（例えば、データ挿入など）か否かにより判断し、削除可能ならば、出力処理手段１９に対して該当する散布点を消去するよう要求する。これにより、出力処理手段１９は、入力装置２１により指定された範囲の散布点を削除した散布点データ画面を表示装置１７に表示する。
【０１１６】
さらに、この散布点データ画面において、オペレータが再描画ボタンＢ７を入力装置２１を介して選択操作すると、回帰計算手段９３は検索結果編集手段３７からの散布点データから散布点削除手段９１で指定された散布点データを除外した散布点データを用いて回帰計算を行い、出力処理手段１９に回帰計算結果を出力する。
【０１１７】
出力処理手段１９は回帰計算手段９３からの回帰計算結果に基づいて、散布点グラフ画面に回帰曲線（図２１において、一点鎖線で示す。）を再描画する。なお、その際、散布点削除前の回帰曲線を消去しないで、比較のため残すようにしてもよい。前の回帰曲線を残す場合には、線の色替えや線の種別替え、マーク付記等により識別可能に表示する。
【０１１８】
以上の説明からも明らかなように、本実施の形態によれば、散布点データの回帰計算に不要な散布点が、回帰曲線を見ながら容易にかつ確実に削除することができるため、回帰曲線の修正にかかる作業効率を大幅の向上させることができる。
【０１１９】
図２２〜２４は、本発明の履歴データ検索出力装置の第９の実施の形態を示すものである。本実施の形態は、入出力装置２３と、入出力装置２３から入力された指定時刻、個数および検索方向からなる検索情報を検索情報管理ファイル２５に設定する検索情報設定手段２７と、検索情報管理ファイル２５に設定された指定時刻、個数および検索方向から検索方法を判別する手段を有し、判別された検索方法に従って運転履歴データファイル２９から、指定時刻以降、指定時刻以前または指定時刻前後の履歴データを所定個数分だけ抽出し、検索結果ファイル３３に保存する履歴データ検索手段３１と、検索結果編集手段３７と、出力処理手段１９とで構成されている。なお、図２２〜２４においては検索結果編集手段３７および出力処理手段１９の図示を省略している。
【０１２０】
図２２においては、検索方法を判別する手段として、指定時刻と個数と検索方向＝現在とから検索方法が指定時刻から現在方向に収録されたデータを所定個数分検索するものであることを判別する指定時刻現在方向検索判別手段１０１ａが設けられている。
【０１２１】
同様に、図２３には指定時刻過去方向検索判別手段１０１ｂが、図２４には指定時刻双方向検索判別手段１０１ｃが設けられている。
【０１２２】
次に、本実施の形態の作用を説明する。
まず図２２に基づいて説明する。オペレ−タが入出力装置２３から検索情報として指定時刻Ｔと、データ個数ｎ（＝３）と、検索方向＝現在を入力すると、検索情報設定手段２７は入力された検索情報を検索情報管理ファイル２５に設定する。ついで、オペレータが検索要求を行うと、履歴データ検索手段３１は、検索情報管理ファイル２５に設定された検索情報に基づいて指定時刻現在方向検索判別手段１０１ａにより、指定時刻Ｔから現在方向に収録されたデータをｎ個検索するものであることを判別し、運転履歴データファイル２９から指定時刻以降収録された履歴データを時系列に順次ｎ個だけ取り出し、検索結果ファイル３３に保存する。
【０１２３】
また、図２３に示すように、検索情報管理ファイル２５に検索情報として指定時刻Ｔ、データ個数ｎ（＝３）、検索方向＝過去が設定された場合、履歴データ検索手段３１は、指定時刻過去方向検索判別手段１０１ｂにより、指定時刻Ｔから過去方向にｎ個検索することを判別し、運転履歴データファイル２９より、指定時刻Ｔ以前に収録されている履歴データを指定時刻に最も近い収録データから順次過去に溯ってｎ個取り出し、検索結果ファイル３３に保存する。
【０１２４】
さらに、図２４に示すように、検索情報管理ファイル２５に検索情報として指定時刻Ｔ、データ個数ｎ（＝３）、検索方向＝双方向が設定された場合、履歴データ検索手段３１は、指定時刻双方向検索判別手段１０１ｃにより、指定時刻Ｔを中心に双方向にｎ個検出することを判別し、運転履歴データファイル２９より指定時刻Ｔに前後に収録された履歴データのうち指定時刻に最も近い時刻の収録データから順次ｎ個取り出し、検索結果ファイル３３に保存する。
【０１２５】
以上の説明からも明らかなように、本実施の形態によれば、不定期に収録される運転履歴データに対しても指定した日時から以降、以前または前後のデータを所定個数分得ることができる。例えば月報を作成するときに、月初めや、月終わりや、１５日前後の月半ばの運転履歴データを検索して表示する場合に有効である。
【０１２６】
なお、本実施の形態では、データ個数を指定するものであったが、これに限らず指定時刻からのデータ収集期間を指定するものであってもよい。この場合には指定時刻以降、以前、または前後の所定期間に収録されたデータを検索することができる。
【０１２７】
図２５〜２８は、本発明の履歴データ検索出力装置の第１０の実施の形態を示すものである。本実施の形態は、図２２〜２４に示す第９の実施の形態と比較して、検索情報設定手段２７によって検索期間、複数種類の検索間隔、個数および検索方向からなる検索情報が検索情報管理ファイル２５に設定され、履歴データ検索手段３１が検索情報管理ファイル２５に設定された検索間隔、個数および検索方向から検索方法を判別する手段を有し、この判別された検索方法に従って運転履歴データファイル２９から、検索期間の開始から一定間隔で示される各起点時刻を基に以降、以前または前後の履歴データを所定個数分だけ抽出する点が異なっている。
【０１２８】
図２５においては、検索方法を判別する手段として、検索期間と一種類の検索間隔と個数と検索方向＝現在とから一定間隔で刻まれる複数の起点時刻を割り出し、各起点時刻から現在方向に収録された履歴データを所定個数分検索するものであることを判別する一定間隔現在方向検索判別手段１０３ａが設けられている。
【０１２９】
同様に、図２６には一定間隔過去方向検索判別手段１０３ｂが、図２７には一定間隔双方向検索判別手段１０３ｃが設けられている。
【０１３０】
次に、本実施の形態の作用を説明する。
図２５において、オペレータが、検索情報設定手段２７を利用して入出力装置２３から検索期間Ｔ1 〜Ｔ2 、検索間隔ｔ、個数ｎ（＝３）および検索方向として現在を入力すると、検索情報設定手段２７によって検索情報管理ファイル２５に検索情報として設定される。ついで、オペレータが検索要求を行うと、履歴データ検索手段３１は、検索管理ファイル２５に設定された検索情報に基づいて一定間隔現在方向検索判別手段１０３ａにより、検索開始時刻Ｔ1 から一定間隔ｔごとにｎ個分の時系列データを検索することを判別し、運転履歴データファイル２９から検索期間Ｔ1 〜Ｔ2 の一定間隔ｔごとの各起点時刻を基に当該時刻以降ｎ個の時系列データを取り出し、検索結果ファイル３３に保存する。
【０１３１】
また、図２６に示すように、検索情報ファイル２７に検索情報として検索期間Ｔ1 〜Ｔ2 、検索間隔ｔ、個数ｎ（＝３）および検索方向＝過去が設定された場合、履歴データ検索手段３１は一定間隔過去方向検索判別手段１０３ｂにより、検索期間Ｔ1 〜Ｔ2 内で一定間隔ｔで刻まれる各起点時刻から過去の方向に収録されているデータをｎ個検索することを判別し、運転履歴データファイル２９から各起点時刻以前の該当する履歴データをｎ個ずつ取り出し、検索結果ファイル３３に保存する。
【０１３２】
さらに、図２７に示すように、検索情報ファイル２７に検索情報として検索期間Ｔ1 〜Ｔ2 、検索間隔ｔ、個数ｎ（＝３）および検索方向＝双方向が設定された場合、履歴データ検索手段３１は一定間隔双方向検索判別手段１０３ｃにより、検索期間Ｔ1 〜Ｔ2 内で一定間隔ｔで刻まれる起点時刻を中心に双方向に収録されたデータからそれぞれｎ個検索することを判別し、運転履歴データファイル２９から各起点時刻前後の該当する履歴データをｎ個ずつ取り出し、検索結果ファイル３３に保存する。
【０１３３】
以上の説明からも明らかなように、本実施の形態によれば、不定期に収録される運転履歴データに対しても指定した間隔ごとの起点時刻から以降、以前または前後のデータを所定個数分得ることができる。
【０１３４】
例えば毎日特定な時刻にプラントを起動する場合、検索方向に現在を設定することにより、毎日起動後のデータを複数個検索してその傾向をグラフ表示することができる。
【０１３５】
また、例えば毎日特定な時刻にプラントを停止する場合、検索方向に過去または双方向を設定することにより、毎日停止前または停止前後のデータを複数個検索してその傾向をグラフ表示することができる。
【０１３６】
なお、本実施の形態では、一定間隔ごとにデータ個数を指定するものであったが、これに限らず一定間隔ごとのデータ収集期間を指定するものであってもよい。この場合には起点時刻以降、以前、または前後の所定期間に収録されたデータを検索することができる。
【０１３７】
図２８は、本発明の履歴データ検索出力装置の第１１の実施の形態を示すもので、図２５〜２７に示す第１０の実施の形態と比較して、検索情報設定手段２７が入出力装置２３から入力された指定時刻、複数種類の検索間隔および個数＝全データからなる検索情報を検索情報管理ファイル２５に設定し、履歴データ検索手段３１が検索情報管理ファイル２５に設定された指定時刻、複数種類の検索間隔および個数＝全データから検索方法を判別する不定間隔一致データ検索判別手段１０５を有し、この判別された検索方法に従って運転履歴データファイル２９から、指定時刻を初め順次指定された間隔で刻まれた時刻に収録された履歴データを検索する点が異なっている。
【０１３８】
次に、本実施の形態の作用を説明する。
図２８において、オペレータが、検索情報設定手段２７を利用して入出力装置２３から指定時刻Ｔ、検索間隔として不定間隔ｔ1 、ｔ2 、ｔ3 、ｔ4 、ｔ5 、個数として全データを入力すると、検索情報設定手段２７によって検索情報管理ファイル２５に検索情報として設定される。ついで、オペレータが検索要求を行うと、履歴データ検索手段３１は、検索管理ファイル２５に設定された検索情報に基づいて不定間隔一致データ検索判別手段１０５により、指定時刻Ｔから不定間隔ｔ1 、ｔ2 、ｔ3 、ｔ4 、ｔ5 で刻まれる時刻に収録された履歴データを検索するものであることを判別し、運転履歴データファイル２９から時刻Ｔ、Ｔ＋ｔ1 、Ｔ＋ｔ2 、Ｔ＋ｔ3 、Ｔ＋ｔ4 、Ｔ＋ｔ5 に一致する履歴データを取り出し、検索結果ファイル３３に保存する。
【０１３９】
以上の説明からも明らかなように、本実施の形態によれば、運転履歴データファイルから指定した間隔ごとの履歴データを検索することができる。
【０１４０】
例えばプラントの起動時のような急激なデータ変化がある期間とその後の定常運転時のようなデータ変化が緩やかな期間の傾向を同時に検索する場合に、それぞれの期間に応じて異なった検索間隔を設定することで、短い間隔すなわち短周期で知りたい部分とそうでない部分を確実に取り出して表示することができる。
【０１４１】
図２９〜３１は、本発明の履歴データ検索出力装置の第１２の実施の形態を示すものである。本実施の形態は、図２８に示す第１１の実施の形態と比較して、検索情報設定手段２７によって指定時刻、複数種類の検索間隔、個数＝ｎおよび検索方向からなる検索情報が検索情報管理ファイル２５に設定され、履歴データ検索手段３１が検索情報管理ファイル２５に設定された指定時刻、複数種類の検索間隔、個数＝ｎおよび検索方向からなる検索情報から検索方法を判別する手段を有し、この判別された検索方法に従って運転履歴データファイル２９から、指定時刻および指定時刻から順次指定された間隔で刻まれた時刻を起点時刻としてこれらの起点時刻以降、以前または前後の履歴データを指定個数検索する点が異なっている。
【０１４２】
図２９においては、検索方法を判別する手段として、指定時刻と一定でない複数種類の間隔と個数と検索方向＝現在とから、検索方法が指定時刻および指定された間隔で示される時刻を起点時刻として各起点時刻から現在方向に収録されたデータを所定個数検索するものであることを判別する不定間隔現在方向検索判別手段１０７ａが設けられている。
【０１４３】
同様に、図３０には不定間隔過去方向検索判別手段１０７ｂが、図３１には不定間隔双方向検索判別手段１０７ｃが設けられている。
【０１４４】
次に、本実施の形態の作用を説明する。
まず図２９において、オペレータが、検索情報設定手段２７を利用して入出力装置２３から指定時刻としてＴ、検索間隔として不定間隔ｔ1 、ｔ2 、ｔ3 、ｔ4 、ｔ5 、個数としてｎ（＝３）、検索方向として現在を入力すると、検索情報設定手段２７によって検索情報管理ファイル２５に設定される。ついで、オペレータが検索要求を行うと、履歴データ検索手段３１は、検索管理ファイル２５に設定された検索情報に基づいて不定間隔現在方向検索判別手段１０７ａにより、指定時刻Ｔから指定された間隔ｔ1 、ｔ2 、ｔ3 、ｔ4 、ｔ5 ごとにｎ個分の時系列データを検索することを判別し、運転履歴データファイル２９から指定時刻Ｔと各間隔の時刻を起点時刻として各起点時刻以降ｎ個の時系列データを取り出し、検索結果ファイル３３に保存する。
【０１４５】
また、図３０に示すように、検索情報ファイル２７に検索情報として指定時刻Ｔ、検索間隔ｔ1 、ｔ2 、ｔ3 、ｔ4 、ｔ5 、個数ｎ（＝３）および検索方向＝過去が設定された場合、履歴データ検索手段３１は不定間隔過去方向検索判別手段１０７ｂにより、指定時刻Ｔから指定の不定間隔ｔ1 、ｔ2 、ｔ3 、ｔ4 、ｔ5 で刻まれる起点時刻から過去の方向にそれぞれ収録データをｎ個検索することを判別し、運転履歴データファイル２９から各起点時刻以前の収録データをｎ個ずつ取り出して検索結果ファイル３３に保存する。
【０１４６】
さらに、図３１に示すように、検索情報ファイル２７に検索情報として指定時刻Ｔ、検索間隔ｔ1 、ｔ2 、ｔ3 、ｔ4 、ｔ5 、個数ｎ（＝３）および検索方向＝双方向が設定された場合、履歴データ検索手段３１は不定間隔双方向検索判別手段１０７ｃにより、指定時刻Ｔから指定の不定間隔ｔ1 、ｔ2 、ｔ3 、ｔ4 、ｔ5 で刻まれる起点時刻を中心に双方向に収録されたデータからそれぞれｎ個検索することを判別し、運転履歴データファイル２９から各起点時刻前後の履歴データをｎ個ずつ取り出して検索結果ファイル３３に保存する。
【０１４７】
以上の説明からも明らかなように、本実施の形態によれば、運転履歴データファイルから指定した間隔ごとに起点時刻以降、以前または前後の運転履歴データを所定個数ずつ得ることができる。
【０１４８】
例えばプラントの起動時のような急激なデータ変化がある期間とその後の定常運転時のようなデータ変化が緩やかな期間の傾向を同時に検索する場合に、それぞれの期間に応じて異なった検索間隔を設定することで、短い間隔すなわち細かい周期で知りたい部分とそうでない部分を確実に取り出して表示することができる。
【０１４９】
なお、本実施の形態では、起点時刻ごとにデータ個数を指定するものであったが、これに限らずデータ収集期間を指定するものであってもよい。この場合には起点時刻以降、以前、または前後の所定期間範囲に収録されたデータを検索することができる。
【０１５２】
【発明の効果】
上記したように、本発明によれば、計算機が自動的に判定することができないイベントや、計算機が自動的にイベントを判定する機構を持ち合わせていないときでも、代わりにオペレータがイベントの日時とコメントを登録することにより、任意のイベントをコメントにより管理することができ、コメント一覧から容易にそのイベント時の運転履歴データを検索してグラフや帳表に表示出力することが可能となる。
【０１５５】
また本発明によれば、ＴＹグラフ出力によって実際に結果データを確認した後に、結果データを表示したＴＹグラフ上のプラント運用上重要なデータの含まれる期間に対して所望のより短い検索周期を同画面上より設定可能にすることにより、視覚的にデータを確認しながら適切な検索情報を設定することができ、プラントの運用業務の効率向上を図ることができる。
【０１５６】
また本発明によれば、運転期間の異なる複数のグラフデータを帳表出力する際に、運転期間によってデータ周期が異なっても、各運転期間の開始時刻を零とした相対時間で且つ各運転期間の中の最も最短の周期に合わせて各運転時間の履歴データを並べた帳表データを作成することによって、帳表による複数データの比較を容易に行うことができる。
【０１５７】
また本発明によれば、回帰計算に不要な点を散布点データ画面上から回帰曲線を見ながら削除可能にすることにより、より適切な回帰曲線を容易にかつ確実に求めることができ、回帰曲線の修正にかかる作業効率を大幅に向上させることができる。
【０１５８】
また本発明によれば、検索情報として検索起点、検索起点からの検索方向、検索起点からの検索範囲を任意に指定可能とすることにより、必要な運転履歴データを検索することができる。
【図面の簡単な説明】
【図１】本発明の履歴データ検索出力装置の第１の実施の形態を示すブロック図である。
【図２】本発明の第１の実施の形態にかかるグラフ画面例を示す図である。
【図３】本発明の履歴データ検索出力装置の第２の実施の形態を示すブロック図である。
【図４】本発明の第２の実施の形態の作用を示す概念図である。
【図５】本発明の履歴データ検索出力装置の第３の実施の形態を示すブロック図である。
【図６】本発明の第３の実施の形態の作用を示す概念図である。
【図７】本発明の第３の実施の形態にかかる画面例および作用を示す概念図である。
【図８】本発明の第３の実施の形態にかかる履歴データ表示画面例を示す図である。
【図９】本発明の履歴データ検索出力装置の第４の実施の形態を示すブロック図である。
【図１０】本発明の第４の実施の形態にかかる画面例および作用を示す図である。
【図１１】本発明の履歴データ検索出力装置の第５の実施の形態を示すブロック図である。
【図１２】運転期間の異なるグラフデータ例を示す図である。
【図１３】本発明の第５の実施の形態にかかる画面例および作用を示す図である。
【図１４】本発明の履歴データ検索出力装置の第６の実施の形態を示すブロック図である。
【図１５】本発明の第６の実施の形態にかかる画面例および作用を示す図である。
【図１６】本発明の履歴データ検索出力装置の第７の実施の形態を示すブロック図である。
【図１７】本発明の第７の実施の形態にかかる帳表出力例を示す図である。
【図１８】２つの運転期間の履歴データを起点時刻を合わせてＴＹグラフで示した場合の図である。
【図１９】本発明の第７の実施の形態にかかる帳表出力例を示す図である。
【図２０】本発明の履歴データ検索出力装置の第８の実施の形態を示すブロック図である。
【図２１】本発明の第８の実施の形態にかかる画面例を示す図である。
【図２２】本発明の履歴データ検索出力装置の第９の実施の形態を示すブロック図である。
【図２３】本発明の履歴データ検索出力装置の第９の実施の形態の他の例を示すブロック図である。
【図２４】本発明の履歴データ検索出力装置の第９の実施の形態のさらに他の例を示すブロック図である。
【図２５】本発明の履歴データ検索出力装置の第１０の実施の形態を示すブロック図である。
【図２６】本発明の履歴データ検索出力装置の第１０の実施の形態の他の例を示すブロック図である。
【図２７】  本発明の履歴データ検索出力装置の第１０の実施の形態のさらに他の例を示すブロック図である。
【図２８】本発明の履歴データ検索出力装置の第１１の実施の形態を示すブロック図である。
【図２９】本発明の履歴データ検索出力装置の第１２の実施の形態を示すブロック図である。
【図３０】本発明の履歴データ検索出力装置の第１２の実施の形態の他の例を示すブロック図である。
【図３１】本発明の履歴データ検索出力装置の第１２の実施の形態をさらに他の例を示すブロック図である。
【図３２】履歴データ検索出力装置のネットワーク構成例を示す図である。
【符号の説明】
１１………ＴＹグラフデータファイル
１３………品質判定手段
１５………線描画判定手段
１７………表示装置
１９………出力処理手段
２１………入力装置
２３………入出力装置
２５………検索情報管理ファイル
２７………検索情報設定手段
２９………運転履歴データファイル
３１………履歴データ検索手段
３３………検索結果ファイル
３５………現在値自動更新手段
３７………検索結果編集手段
３９………表示範囲自動変更手段
４１………コメント設定手段
４３………コメント情報ファイル
４５………コメント一覧出力手段
５１………表示期間選択手段
５３………表示期間移動手段
６１………表示エリア移動手段
７１………周期変更手段
８１………プリンタ
８３………ＴＹグラフ帳表出力要求手段
８５………ＴＹグラフ帳表データ編集手段
８７………帳表出力データファイル
９１………散布点削除手段
９３………回帰計算手段
【図１】
0003749795.tif 000002
【図２】
0003749795.tif 000003
【図３】
0003749795.tif 000004
【図４】
0003749795.tif 000005
【図５】
0003749795.tif 000006
【図６】
0003749795.tif 000007
【図７】
0003749795.tif 000008
【図８】
0003749795.tif 000009
【図９】
0003749795.tif 000010
【図１０】
0003749795.tif 000011
【図１１】
0003749795.tif 000012
【図１２】
0003749795.tif 000013
【図１３】
0003749795.tif 000014
【図１４】
0003749795.tif 000015
【図１５】
0003749795.tif 000016
【図１６】
0003749795.tif 000017
【図１７】
0003749795.tif 000018
【図１８】
0003749795.tif 000019
【図１９】
0003749795.tif 000020
【図２０】
0003749795.tif 000021
【図２１】
0003749795.tif 000022
【図２２】
0003749795.tif 000023
【図２３】
0003749795.tif 000024
【図２４】
0003749795.tif 000025
【図２５】
0003749795.tif 000026
【図２６】
0003749795.tif 000027
【図２７】
0003749795.tif 000028
【図２８】
0003749795.tif 000029
【図２９】
0003749795.tif 000030
【図３０】
0003749795.tif 000031
【図３１】
0003749795.tif 000032
【図３２】
0003749795.tif 000033